【手続補正書】
【提出日】平成18年5月31日(2006.5.31)
【手続補正１】
【補正対象書類名】明細書
【補正対象項目名】発明の名称
【補正方法】変更
【補正の内容】
【発明の名称】皮膚の脂質産生を促進するための組成物
【手続補正２】
【補正対象書類名】明細書
【補正対象項目名】特許請求の範囲
【補正方法】変更
【補正の内容】
【特許請求の範囲】
【請求項１】
表皮脂質の産生を促進するための局所用組成物の化粧用の使用であって、局所用組成物が、
L-ロイシン、L-イソロイシンおよびL-バリン、L-ロイシン誘導体、L-イソロイシン誘導体およびL-バリン誘導体、ならびにそれらの混合物からなる群より選択され、表皮細胞で異化されて表皮脂質合成のための脂質前駆体を生成することができる、一つまたは複数の成分と、
オクタン酸、ヘキサン酸、αケトイソカプロン酸、αクロロイソカプロン酸、チアミンジホスフェート、およびそれらの誘導体からなる群より選択され、一つまたは複数の成分の異化速度を増大させる、一つまたは複数の酵素活性化因子であって、一つまたは複数の成分は組成物の重量を基準として0.001〜40重量％の範囲の量で存在し、かつ一つまたは複数の酵素活性化因子は組成物の重量を基準として0.001〜20重量％の範囲の量で存在する、酵素活性化因子
とを含む混加物から得られる、使用。
【請求項２】
酵素活性化因子が分枝鎖ケト酸ヒドロゲナーゼをその不活性型から活性型へと変換することができる、請求項１記載の使用。
【請求項３】
一つまたは複数の酵素活性化因子が、オクタン酸およびその誘導体を含む、請求項１記載の使用。
【請求項４】
組成物が薬学的または化粧用に許容される担体をさらに含む、請求項１記載の使用。
【請求項５】
薬学的または化粧用に許容される担体が一つまたは複数の乳化剤、増粘剤、保存料、粉末および着色料を含む、請求項４記載の使用。
【請求項６】
組成物が一つまたは複数のセリン、グリシン、アラニン、およびトレオニンをさらに含む、請求項１記載の使用。
【請求項７】
組成物が一つまたは複数のビタミンをさらに含む、請求項１記載の使用。
【請求項８】
一つまたは複数のビタミンがパンテノール、ピリドキシン、ビオチン、ビタミンE、ビタミンAおよびその誘導体、ビタミンB1、ビタミンB3、ならびにビタミンCを含む、請求項７記載の使用。
【請求項９】
組成物がチオールをさらに含む、請求項１記載の使用。
【請求項１０】
組成物がL-カルニチンをさらに含む、請求項１記載の使用。
【請求項１１】
組成物がヒドロキシ酸をさらに含む、請求項１記載の使用。
【請求項１２】
ヒドロキシ酸が0.01〜20重量％の量で存在する、請求項１１記載の使用。
【請求項１３】
表皮のL-ロイシン、L-イソロイシン、およびL-バリンの異化を増大させる化粧用の方法であって、
組成物の重量を基準として0.001〜20重量％の、オクタン酸およびその誘導体、ヘキサン酸およびその誘導体、αケトイソカプロン酸およびその誘導体からなる群より選択される一つまたは複数の酵素活性化因子、および、組成物の重量を基準として0.001〜40重量％の、L-ロイシン、L-イソロイシン、およびL-バリン、L-ロイシン誘導体、L-イソロイシン誘導体およびL-バリン誘導体ならびにそれらの混合物からなる群より選択され、表皮細胞で異化されて表皮脂質合成のためのプロ脂質を生成することができる一つまたは複数の成分を混加することにより、局所用に許容される局所用組成物を薬学的または化粧用に許容される担体において提供する段階；および
局所用に許容される局所用組成物を、表皮のL-ロイシン、L-イソロイシン、およびL-バリンの異化を増大させるのに十分な量と期間で皮膚に局所適用する段階を含む、方法。
【請求項１４】
表皮脂質の産生を促進する化粧用の方法であって、
組成物の重量を基準として0.001〜40重量％の、L-ロイシン、L-イソロイシン、およびL-バリン、L-ロイシン誘導体、L-イソロイシン誘導体およびL-バリン誘導体ならびにそれらの混合物からなる群より選択され、表皮細胞で異化されて表皮脂質合成のためのプロ脂質を生成することができる、一つまたは複数の成分、および
組成物の重量を基準として0.001〜20重量％の、オクタン酸、ヘキサン酸、αケトイソカプロン酸、αクロロイソカプロン酸、チアミンジホスフェート、およびそれらの誘導体からなる群より選択され、一つまたは複数の成分の異化速度を増大させる一つまたは複数の酵素活性化因子；
を含む局所用組成物の有効な量を、表皮脂質の産生を促進するのに十分な量と期間で、哺乳動物の皮膚に局所適用する段階を含む、方法。
【請求項１５】
表皮脂質の産生を促進する化粧用の方法であって、
請求項１記載の組成物の有効な量を、表皮脂質の産生を促進するのに十分な量と期間で、哺乳動物の皮膚に局所適用する段階を含む方法。
【請求項１６】
前記組成物を、乾燥皮膚を減少させるか、または根絶さえさせるのに十分な期間適用する、請求項１５記載の化粧用の方法。
【請求項１７】
皮膚が脂質枯渇物質に曝露されている個体の皮膚脂質合成を増大させる化粧用の方法であって、
請求項１記載の組成物の有効な量を、皮膚脂質合成を増大させるのに十分な量と期間で、個体の皮膚に局所適用する段階を含む方法。
【請求項１８】
コレステロール低下薬を服用している個体の皮膚脂質合成を増大させる化粧用の方法であって、
請求項１記載の組成物の有効な量を、皮膚脂質合成を増大させるのに十分な量と期間で、個体の皮膚に局所適用する段階を含む方法。
【請求項１９】
可動性が損傷されている個体の皮膚脂質合成を増大させることにより、褥瘡を軽減する薬剤の製造のための請求項１記載の組成物の使用であって、
請求項１記載の組成物の有効な量を含む薬剤が、褥瘡を軽減するのに十分な量と期間で、個体の皮膚に局所適用される、使用。
【請求項２０】
皮膚脂質合成を増大させることにより、紫外線への曝露による皮膚損傷を防止する薬剤の製造のための請求項１記載の組成物の使用であって、
請求項１記載の組成物の有効な量を含む薬剤が、紫外線への曝露による皮膚損傷を防止するのに十分な量と期間で、紫外線へ曝露した個体の皮膚に局所適用される、使用。
【請求項２１】
乳牛の乳腺炎を予防および／または治療する薬剤の製造のための請求項１記載の組成物の使用であって、
請求項１記載の組成物の治療上有効な量を含む薬剤が、乳腺炎を予防および／または治療するのに十分な量と期間で、乳牛の乳頭に局所適用される、使用。
【請求項２２】
角質層の天然保湿因子の細胞内レベルを高める化粧用の方法であって、
組成物の重量を基準として0.001〜40重量％の、L-ロイシン、L-イソロイシン、およびL-バリン、L-ロイシン誘導体、L-イソロイシン誘導体およびL-バリン誘導体ならびにそれらの混合物からなる群より選択され、表皮細胞で異化されて代謝産物および他のアミノ酸を生成することができる、一つまたは複数の成分、および
組成物の重量を基準として0.001〜20重量％の、オクタン酸、ヘキサン酸、αケトイソカプロン酸、αクロロイソカプロン酸、チアミンジホスフェート、およびそれらの誘導体からなる群より選択され、一つまたは複数の成分の異化速度を増大させる一つまたは複数の酵素活性化因子
を含む局所用組成物の有効な量を、角質層の天然保湿因子の細胞内レベルを高めるのに十分な量と期間で、哺乳動物の皮膚に局所適用する段階を含む方法。
【請求項２３】
皮膚のビタミンDの産生を増大させる化粧用の方法であって、
組成物の重量を基準として0.001〜40重量％の、L-ロイシン、L-イソロイシン、およびL-バリン、L-ロイシン、L-イソロイシン、およびL-バリンの誘導体ならびにそれらの混合物からなる群より選択され、表皮細胞で異化されて皮膚においてコレステロールおよび他のステロールの生成を増大することができる、一つまたは複数の成分、および
組成物の重量を基準として0.001〜20重量％の、オクタン酸、ヘキサン酸、αケトイソカプロン酸、αクロロイソカプロン酸、チアミンジホスフェート、およびそれらの誘導体からなる群より選択され、一つまたは複数の成分の異化速度を増大させる一つまたは複数の酵素活性化因子であって、L-ロイシン、L-イソロイシン、およびL-バリン、L-ロイシン誘導体、L-イソロイシン誘導体、およびL-バリン誘導体ならびにそれらの混合物からなる群より選択される一つまたは複数の成分、および酵素活性化因子が、皮膚においてコレステロールおよび他のステロールの生成を増大するのに十分な量と期間で存在する、酵素活性化因子
を含む局所用組成物の有効な量を局所適用する段階と、
ビタミンDの産生を増大させるのに十分な期間、皮膚を日光に曝露する段階とを含む方法。
【請求項２４】
L-ロイシン、L-イソロイシン、およびL-バリンに由来する分枝鎖ケト酸を増大させることにより過酸化水素を中性化および無毒化する化粧用の方法であり、
組成物の重量を基準として0.001〜40重量％の、L-ロイシン、L-イソロイシン、およびL-バリン、L-ロイシン誘導体、L-イソロイシン誘導体、およびL-バリン誘導体ならびにそれらの混合物からなる群より選択され、表皮細胞で異化されて過酸化水素を中性化および無毒化するL-ロイシン、L-イソロイシン、およびL-バリンに由来する分枝鎖ケト酸を生成することができる、一つまたは複数の成分
を含む局所用組成物の有効な量を局所適用する段階を含む方法。
【請求項２５】
皮膚損傷、アトピー性皮膚炎、皮膚障害、皮膚外傷、褥瘡、失禁皮膚炎、レーノー病、細小血管症および／または乳腺炎の治療のための表皮脂質の産生を促進する薬剤の製造のための局所用組成物の使用であって、局所用組成物が、
L-ロイシン、L-イソロイシンおよびL-バリン、L-ロイシン誘導体、L-イソロイシン誘導体およびL-バリン誘導体ならびにそれらの混合物からなる群より選択され、表皮細胞で異化されて表皮脂質合成のための脂質前駆体を生成することができる、一つまたは複数の成分；および
オクタン酸、ヘキサン酸、αケトイソカプロン酸、αクロロイソカプロン酸、チアミンジホスフェート、およびそれらの誘導体からなる群より選択され、一つまたは複数の成分の異化速度を増大させる、一つまたは複数の酵素活性化因子であって、一つまたは複数の成分は組成物の重量を基準として0.001〜40重量％の範囲の量で存在し、かつ一つまたは複数の酵素活性化因子は組成物の重量を基準として0.001〜20重量％の範囲の量で存在する、酵素活性化因子
を含む混加物から得られる、使用。
【請求項２６】
酵素活性化因子が分枝鎖ケト酸ヒドロゲナーゼをその不活性型から活性型へと変換することができる、請求項２５記載の使用。
【請求項２７】
一つまたは複数の酵素活性化因子が、オクタン酸およびその誘導体を含む、請求項２５記載の使用。
【請求項２８】
組成物が薬学的または化粧用に許容される担体をさらに含む、請求項２５記載の使用。
【請求項２９】
薬学的または化粧用に許容される担体が一つまたは複数の乳化剤、増粘剤、保存料、粉末および着色料を含む、請求項２８記載の使用。
【請求項３０】
組成物が一つまたは複数のセリン、グリシン、アラニン、およびトレオニンをさらに含む、請求項２５記載の使用。
【請求項３１】
組成物が一つまたは複数のビタミンをさらに含む、請求項２５記載の使用。
【請求項３２】
一つまたは複数のビタミンがパンテノール、ピリドキシン、ビオチン、ビタミンE、ビタミンAおよびその誘導体、ビタミンB1、ビタミンB3、ならびにビタミンCを含む、請求項３１記載の使用。
【請求項３３】
組成物がチオールをさらに含む、請求項２５記載の使用。
【請求項３４】
組成物がL-カルニチンをさらに含む、請求項２５記載の使用。
【請求項３５】
組成物がヒドロキシ酸をさらに含む、請求項２５記載の使用。
【請求項３６】
ヒドロキシ酸が0.01〜20重量％の量で存在する、請求項３５記載の使用。
【請求項３７】
皮膚障害の治療のためのコレステロール低下薬を服用している個体の皮膚脂質合成を増大させる薬剤の製造のための局所用組成物の使用であって、
請求項１記載の組成物の有効な量を含む薬剤が、皮膚脂質合成を増大させるのに十分な量と期間で、個体の皮膚に局所適用される、使用。
【請求項３８】
皮膚障害の治療のための皮膚のビタミンDの産生を増大させる薬剤の製造のための局所用組成物の使用であって、
組成物の重量を基準として0.001〜40重量％の、L-ロイシン、L-イソロイシン、およびL-バリン、L-ロイシン誘導体、L-イソロイシン誘導体、およびL-バリン誘導体ならびにそれらの混合物からなる群より選択され、表皮細胞で異化されて皮膚においてコレステロールおよび他のステロールの生成を増大することができる、一つまたは複数の成分、および
組成物の重量を基準として0.001〜20重量％の、オクタン酸、ヘキサン酸、αケトイソカプロン酸、αクロロイソカプロン酸、チアミンジホスフェート、およびそれらの誘導体からなる群より選択され、一つまたは複数の成分の異化速度を増大させる一つまたは複数の酵素活性化因子であって、L-ロイシン、L-イソロイシン、およびL-バリン、L-ロイシン誘導体、L-イソロイシン誘導体、およびL-バリン誘導体ならびにそれらの混合物からなる群より選択される一つまたは複数の成分、および酵素活性化因子が存在する、酵素活性化因子
を含む組成物の有効な量を含む薬剤を、
皮膚においてコレステロールおよび他のステロールの生成を増大するのに十分な量と期間で皮膚に局所適用し、かつ
ビタミンDの産生を増大させるのに十分な期間、皮膚を日光に曝露する、使用。